(57)【要約】【課題】在庫のスペースを削減することのできる構成の電子表示ポストを提供する。【解決手段】電子表示ポストは、柱状で、第１柱部および第２柱部から構成される電子表示ポストにおいて、上記第１柱部は、床に連結固定され、上記第２柱部は、上記第１柱部の上部に着脱自在に載せられると共に、発光ダイオードによる表示部を有する電子表示部および上記電子表示部を駆動するドライブ部を有する。また、上記第１柱部の下部には、空気を流入させる通気口が設けられており、上記第２柱部の上部には、上記空気を排出させる排出口が設けられている。【選択図】図２
2010019872.tif 000002
【特許請求の範囲】
【請求項１】
柱状で、第１柱部および第２柱部から構成される電子表示ポストにおいて、
上記第１柱部は、床に連結固定され、
上記第２柱部は、上記第１柱部の上部に着脱自在に載せられると共に、発光ダイオードによる表示部を有する電子表示部および上記電子表示部を駆動するドライブ部を有する、
ことを特徴とする電子表示ポスト。
【請求項２】
上記第２柱部は、蓋および筒部材から構成され、
上記蓋が着脱自在である、ことを特徴とする請求項１に記載の電子表示ポスト。
【請求項３】
上記第１柱部の下部には、空気を流入させる通気口が設けられており、
上記第２柱部の上部には、上記空気を排出させる排出口が設けられている、
ことを特徴とする請求項１または２に記載の電子表示ポスト。
【請求項４】
上記第１柱部には、光センサの送信部または受信部を有することを特徴とする請求項１乃至３のいずれか一項に記載の電子表示ポスト。
【発明の詳細な説明】
【技術分野】
【０００１】
本発明は、電子表示ポストの改良に関するものである。
【背景技術】
【０００２】
従来の電子表示ポストは、エスカレータの上り方向の案内として用いられる。このＬＥＤから成る電子表示部は、ドライブ基板により駆動されることにより、電子表示部が各ＬＥＤ素子による種々の表示を行うものである。例えば、電子表示部は、緑色の発色による「昇り」、緑色の発色による「降り」、赤色の発色による「停止」を表示する。
【０００３】
このような電子表示ポストは、全体が一体として製作されていた。比較的安価な製造コ
ストと安定した品質の確保とを実現しつつ、ＬＥＤ表示部を正面以外から目視する者等が
その表示を視認し易く、また曲面部分を有する表示装置のデザイン性も損なわないものであった（例えば、特許文献１参照）。
【０００４】
【特許文献１】特開２０００−７５８１３号公報
【発明の開示】
【発明が解決しようとする課題】
【０００５】
しかしながら、従来の電子表示ポストは、電子表示部も含めて一体として製作されているので、電子表示部の表示サイズの種類が多くなると、そのサイズごとに多数の種類を有する電子表示ポストを設計、製作しておいて、表示サイズの要求に応じた電子表示ポストを供給していた。このため、多数の電子表示部の設計・製作が煩雑であると共に予め多数の種類の電子表示ポストを製作しておいて在庫を多数備えなければならないという課題があった。
【０００６】
この発明の目的は、在庫のスペースを削減することのできる構成の電子表示ポストを提供することである。
【課題を解決するための手段】
【０００７】
この発明に係る電子表示ポストは、柱状で、第１柱部および第２柱部から構成される電子表示ポストにおいて、上記第１柱部は、床に連結固定され、上記第２柱部は、上記第１柱部の上部に着脱自在に載せられると共に、発光ダイオードによる表示部を有する電子表示部および上記電子表示部を駆動するドライブ部を有する。
【発明の効果】
【０００８】
この発明に係る電子表示ポストは、電子表示ポストが複数の表示内容を有する場合、第１柱部を共用にし、第２柱部のみを表示内容に応じて変更すれば良いので、電子表示ポスト全体を変える必要がなく、このため、設計が容易で、在庫スペースも少なくて良いという効果がある。
【発明を実施するための最良の形態】
【０００９】
実施の形態１．
この発明の実施の形態１に係る電子表示ポストを図１から図６を参照して説明する。
図１は、この発明の実施の形態に係る電子表示ポストをエスカレータの乗り場案内に用いた全体斜視図である。図２は、図１に示す電子表示ポストの正面図である。図３は、図２に示す電子表示ポストの分解斜視図である。図４は、図２に示す電子表示ポストの「上昇方向」電子表示部を有する第２柱部の筐体斜視図（ａ）とその電子表示部の斜視図（ｂ）である。図５は、図２に示す電子表示ポストの「上昇方向」と「自動」との電子表示部を有する第２柱部の筐体斜視図（ａ）とその電子表示部の斜視図（ｂ）である。図６は、図２に示す電子表示ポストの「矢印の上昇方向」と「自動」と「ＡＵＴＯ」の電子表示部を有する第２柱部の筐体斜視図（ａ）とその電子表示部の斜視図（ｂ）である。
【００１０】
この発明に係るエスカレータ１は、図１に示すように、乗客７が乗る踏み段３と、手摺５とを備えている。そして、エスカレータ１の乗降口９には、円柱状の電子表示ポスト１０が床２に立設固定されている。
【００１１】
この発明の実施の形態１に係る電子表示ポスト１０は、図２および図３に示すように、円筒状であり、床２に連結固定されると共に、基柱となる第１柱部３０と、該第１柱部３０の上に載せられると共に、着脱自在な第２柱部とを備えている。ここで、電子表示ポスト１０には、少なくとも１つの第１柱部３０を有している。
第２柱部として、３種類の第１表示柱部５０、第２表示柱部１５０、第３表示柱部２５０が用意され、この中から表示内容の要求に応じて１つを選択して第１柱部３０の上に着脱自在に載せる。
【００１２】
第１表示柱部５０は、図３と図４に示すように、第１筒部材５２と、発光ダイオードにより「矢印の上昇方向」示すと共に、柱に沿うように僅かに湾曲した板状の第１電子表示部５４と、第１電子表示部５４を駆動する電子基板から成る第１ドライブ部５６と、第２柱部に共通な蓋５８と、を有している。
第２表示柱部１５０は、図３と図５に示すように、第２筒部材１５２と、発光ダイオードにより「矢印の上昇方向」および「自動」を示すと共に、柱に沿うように僅かに湾曲した板状の第２電子表示部１５４と、第２電子表示部１５４を駆動する電子基板から成る第２ドライブ部１５６と、第２柱部に共通な蓋５８と、を有している。
第３表示柱部２５０は、図３と図６に示すように、第３筒部材２５２と、発光ダイオードにより「矢印の上昇方向」および「自動」、「ＡＵＴＯ」を示すと共に、柱に沿うように僅かに湾曲した板状の第３電子表示部２５４と、第３電子表示部２５４を駆動する電子基板から成る第２ドライブ部２５６と、第２柱部に共通な蓋５８と、を有している。
【００１３】
このように構成された電子表示ポスト１０の組み立てを、図２および図３を主に参照して説明する。
まず、表示内容に応じて、３種類の第１表示柱部５０、第２表示柱部１５０および第３表示柱部２５０の内から１つを第２柱部として選択し、選択した第２注部を組み立てて準備する。そして、第１柱部３０の基台３４を床２に固定し、筒部材３２を基台３４の板部材にネジで固定する。それから、選択し組み立てて準備した第２注部を筒部材３２の上にネジで固定して電子表示ポスト１０が完成する。
【００１４】
上述の実施の形態１に係る電子表示ポスト１０は、柱状で、第１柱部３０と第２柱部とから成る電子表示ポストにおいて、第１柱部３０は、床に連結固定され、第２柱部は、第１柱部３０の上に着脱自在に載せられると共に、発光ダイオードによる表示部を有する電子表示部と、該電子表示部を駆動するドライブ部とを有する、ものであるので、第１柱部３０の上に載せられると共に、電子表示部と該電子表示を駆動するドライブ部とを有する第２柱部と、第１柱部３０とを分割しており、電子表示部に異なる表示をさせたい場合でも、電子表示部を有する第２柱部のみを変更すれば良いので、設計、在庫が省スペースで足りる。
【００１５】
実施の形態２．
この発明の実施の形態２に係る電子表示ポストを図７から図９を参照して説明する。
図７は、この発明の実施の形態２に係る電子表示ポストの第１柱部３０の分解斜視図である。図８は、この発明の実施の形態２に係る電子表示ポストの第２柱部の分解斜視図である。図９は、この発明の実施の形態２に係る電子表示ポストの内側の空気の流れを示す図である。
【００１６】
第１柱部３０は、図７に示すように、筒部材３２と、床２に固定される基台３４と、基台３４の天部に固定されると共に、電子表示ポスト１０間を通過する乗客を検出するセンサ部３６とを備えている。そして、一方の電子表示ポスト１０にはセンサ部３６として送信器が、他方の電子表示ポスト１０にはセンサ部３６として受信器が設置される。
基台３４は、図７に示すように、床２に固定される円板３４ａと、円板３４ａに立設して固定される板部材３４ｂとを有している。板部材３４ｂには、２つのネジ穴３４ｅが設けられていて、第１柱部３０の筒部材３２が床２との間に隙間ｇを有するように、ネジにより固定される。この隙間ｇが通気口を形成している。
【００１７】
第１柱部３０の上部に第２柱部として第１表示柱部５０を選択して以下説明するが、第２表示柱部１５０または第３表示柱部２５０を選択した場合でも同様であるので、説明は省略する。
第１表示柱部５０の第１筒部材５２は、図８示すように、上部に、蓋５８に蓋５８の内側面に外側面が接するように挿入される円筒状の挿入部材が設けられ、挿入部材の円周上の一部に凹部５２ｆが設けられており、蓋５８の内側の空間と外側とを連通している。また、挿入部材には貫通するようにネジ穴が開けられ、第１筒部材５２に蓋５８が被せられたときネジにより第１筒部材５２と蓋５８が固定される。
このように構成された電子表示ポスト１０では、図９に示すように、第１柱部３０の下側から吸い込んだ空気を第２柱部の排出ロを通過して排出するように構成されている。
【００１８】
図１に示すように、乗降口９に向かう乗客が左右に配置されている２本の電子表示ポスト１０の間を通過すると、一方の電子表示ポストから投光された光が遮られて、他方の電子表示ポスト１０で受光できなくなり、エスカレータ１への乗客の到来を検知することができ、例えば、エスカレータ１を上昇運転する。
【００１９】
これにより、図９に示すように、第１柱部３０の下部から吸い込んだ空気を第２柱部の排出ロを通過して排出するので、電子表示ポスト１０内の結露を防止できる。
【図面の簡単な説明】
【００２０】
【図１】この発明の実施の形態１に係る電子表示ポストをエスカレータの乗場案内に用いた全体斜視図である。
【図２】この発明の実施の形態１に係る電子表示ポストの正面図である。
【図３】図２に示す電子表示ポストの分解正面図である。
【図４】図２に示す電子表示ポストの「上昇方向」の電子表示部を有する第２柱部の筐体斜視図および電子表示部の斜視図である。
【図５】図２に示す電子表示ポストの「上昇方向」と「自動」との電子表示部を有する第２柱部の筐体斜視図および電子表示部の斜視図である。
【図６】図２に示す電子表示ポストの「上昇方向」と「自動」と「ＡＵＴＯ」との電子表示部を有する第２柱部の筐体斜視図および電子表示部の斜視図である。
【図７】この発明の実施の形態２に係る電子表示ポストの第１柱部の分解斜視図である。
【図８】図７に示す電子表示ポストの排気孔を有する第２柱部の分解斜視図である。
【図９】この発明の実施の形態２に係る電子表示ポストの内側の空気の流れを示す図である。
【符号の説明】
【００２１】
１  エスカレータ、２  床、３  踏み段、５  手摺り、７  乗客、９  乗降口、１０  電子表示ポスト、３０  第１柱部、３２  筒部材、３４  基台、３４ａ  円板、３４ｂ  板部材、３４ｅ  ネジ穴、３６  センサ部、５０  第１表示柱部、５２  第１筒部材、５２ｆ  凹部、５４  第１電子表示部、５６  第１ドライブ部、５８  蓋、１５０  第２表示柱部、１５２  第２筒部材、１５４  第２電子表示部、１５６  第２ドライブ部、２５０  第３表示柱部、２５２  第３筒部材、２５４  第３電子表示部、２５６  第３ドライブ部。
【図１】
2010019872.tif 000003
【図２】
2010019872.tif 000004
【図３】
2010019872.tif 000005
【図４】
2010019872.tif 000006
【図５】
2010019872.tif 000007
【図６】
2010019872.tif 000008
【図７】
2010019872.tif 000009
【図８】
2010019872.tif 000010
【図９】
2010019872.tif 000011